(57)【要約】      （修正有）【課題】映像を出力または投影できる１つ機器を複数のPCから無線を用いて共有する無線送受信装置を提供する。【解決手段】クライアントからの無線での「映像出力要求」で有線ケーブルの付け替えの代役を行うと共に、別のクライアントからの ”割り込みを許可するかどうかのフラグ” を同時に設定することにより、あるクライアントが映像出力中に別のクライアントが割り込んで表示させることを許可する。さらに、その “割り込み許可時の表示方法” も全画面表示や２画面表示等から選択可能である。【選択図】図１
2008089886.tif 000002
【特許請求の範囲】
【請求項１】
複数のクライアント機器から無線により伝送された映像データをホスト機器が受信し、ホスト機器にて映像データを投射表示出力する映像データの無線伝送方法において、
前記クライアント機器から出力された映像出力要求信号を前記ホスト機器が受信し、受信した映像出力要求信号を受け入れ可能か否か判別し受け入れ可能な場合に、前記クライアント機器に受け入れ許可信号を送信し、受け入れ許可信号を受信した前記クライアント機器から映像データを無線にて受信し、受信した映像データを投射表示出力することを特徴とする無線伝送方法。
【請求項２】
複数のクライアント機器からほぼ同時に映像出力要求を受信した場合、最も早く映像出力要求が到達したクライアント機器に対して受け入れ許可信号を出力することを特徴とする請求項１記載の無線伝送方法。
【請求項３】
前記クライアント機器は映像出力要求信号に、当該クライアント機器が映像データを出力中に他のクライアント機器からの割り込みを許可するか否かを記すための割り込み許可フラグを付加して送信することを特徴とする請求項２記載の無線伝送方法。  
【請求項４】
前記クライアント機器が映像出力要求信号を前記ホスト機器に送信する際、前記クライアントが映像データを出力している時に他のクライアント機器からの割り込みを許可する場合において、割り込んだ他のクライアントからの映像出力を、全画面表示させるか、または２画面表示させるかを示すための出力制御フラグを付加して送信することを特徴とする請求項３記載の無線伝送方法。
【請求項５】
前記クライアント機器が映像出力要求信号をホストに送信する際に、当該クライアント機器が映像データを出力している時に、他のクライアントからの割り込みを許可する場合において、ホスト機器から最初に受入れ許可信号を受信したクライアント機器がマスターとなり、他のクライアントからの割り込みがあった時、そのクライアントはマスターに対するスレーブとなることを特徴とする請求項４記載の無線伝送方法。
【請求項６】
前記クライアント機器が映像出力要求信号と同時に送信する割り込み許可フラグ及び出力制御フラグの設定値は、前記ホスト機器から最初に受入れ許可信号を受信したクライアント機器の設定値が用いられることを特徴とする請求項５記載の無線伝送方法。
【請求項７】
前記マスターとなったクライアント機器は、前記ホストの各種設定値及び、割り込み許可フラグ及び出力制御フラグの設定値の変更を許可されることを特徴とする請求項６記載の無線伝送方法。
【発明の詳細な説明】
【技術分野】
【０００１】
本発明は映像データを無線により受信して表示出力する無線装置に関し、特にプロジェクタ装置などのように複数のクライアント機器に共有される映像データの無線伝送方法に関するものである。
【背景技術】
【０００２】
入力した映像を投射表示するプロジェクタは、例えばパーソナルコンピュータ等（クライアントＰＣ）から入力した映像データを投射して、会議室などで多数の参加者に見せることができるものであり、利用形態として、参加者がそれぞれ持参した多くのパーソナルコンピュータそれぞれの映像データを、状況に応じて切り換えながら投射していく形態がある。  この場合には、プロジェクタに接続されたデータ入力ケーブルを、現在画像を投射しているＰＣから他のトＰＣに接続し直すことより投射するＰＣを切り換えることが一般的である。
【特許文献１】特開２００４−２８７１６０号公報（第１図）
【発明の開示】
【発明が解決しようとする課題】
【０００３】
一方で最近のＰＣでは無線によるデータ送受信可能な機器が増えてきており、プロジェクタのようなホスト機器とケーブルによる接続でなく、無線接続により映像投射することができれば利便性は向上する。
【０００４】
しかし、１台のプロジェクタと複数のクライアントＰＣを無線接続により共有する場合には、単なる排他制御による無線接続をするのみでは使い勝手が悪い。
【０００５】
そこで、本発明は上述した課題を解決するために、プロジェクタ装置など投影する１つのホスト機器を複数のクライアントＰＣから無線を用いて効率的に共有することが可能な無線伝送方法を提供することを目的とするものである。
【課題を解決するための手段】
【０００６】
本発明は上述したような課題を解決するため、複数のクライアント機器から無線により伝送された映像データをホスト機器が受信し、ホスト機器にて映像データを投射表示出力する映像データの無線伝送方法において、前記クライアント機器から出力された映像出力要求信号を前記ホスト機器が受信し、受信した映像出力要求信号を受け入れ可能か否か判別し受け入れ可能な場合に、前記クライアント機器に受け入れ許可信号を送信し、受け入れ許可信号を受信した前記クライアント機器から映像データを無線にて受信し受信した映像データを投射表示出力するものである。
【０００７】
また本発明は上述した課題を解決するため複数のクライアント機器からほぼ同時に映像出力要求を受信した場合、最も早く映像出力要求が到達したクライアント機器に対して受け入れ許可信号を出力するものである。
【０００８】
また本発明は上述した課題を解決するため、前記クライアント機器は映像出力要求信号に、当該クライアント機器が映像データを出力中に他のクライアント機器からの割り込みを許可するか否かを記すための割り込み許可フラグを付加して送信するものである。
【０００９】
また本発明は上述した課題を解決するため、前記クライアント機器が映像出力要求信号を前記ホスト機器に送信する際、前記クライアントが映像データを出力している時に他のクライアント機器からの割り込みを許可する場合において、割り込んだ他のクライアントからの映像出力を、全画面表示させるか、または２画面表示させるかを示すための出力制御フラグを付加して送信するものである。
【００１０】
また本発明は上述した課題を解決するため、前記クライアント機器が映像出力要求信号をホストに送信する際に、当該クライアント機器が映像データを出力している時に、他のクライアントからの割り込みを許可する場合において、ホスト機器から最初に受入れ許可信号を受信したクライアント機器がマスターとなり、他のクライアントからの割り込みがあった時、そのクライアントはマスターに対するスレーブとなるものである。
【００１１】
また本発明上述した課題を解決するため、前記クライアント機器が映像出力要求信号と同時に送信する割り込み許可フラグ及び出力制御フラグの設定値は、前記ホスト機器から最初に受入れ許可信号を受信したクライアント機器の設定値が用いられるものである。
【００１２】
また本発明は上述した課題を解決するため、前記マスターとなったクライアント機器は、前記ホストの各種設定値及び、割り込み許可フラグ及び出力制御フラグの設定値の変更を許可されるものである。
【発明の効果】
【００１３】
映像を出力する、または投影する１つのホスト機器を複数のクライアントＰＣから無線を用いて共有することが可能となる。
【発明を実施するための最良の形態】
【００１４】
以下、本発明における実施形態について図面を用いて説明する。
【００１５】
図１は本発明の一実施形態を示す映像の無線伝送システムの構成図の一例を示す。具体的には１つの映像投射装置（プロジェクタ）と複数のクライアント機器（ノートＰＣ）から構成される構成であり、プロジェクタは各クライアント機器から出力される映像をこれから説明する本実施形態の動作に基づいて無線により受信して表示出力するものである。
【００１６】
まず、本実施形態の無線伝送システムは、ホストとなる映像を出力、投影することができる機器としてのプロジェクタ１００と、１つ以上の複数のクライアントPC１〜５から構成されるシステムである。ホスト１００とクライアントＰＣ１〜５は無線で接続され互いに通信することができ、映像出力Ｉ／Ｆとして標準化された方式であるDVI信号のデータも伝送可能となっている。また、図中にクライアントＰＣ１がマスター、クライアントＰＣ２がスレーブと示しているように、ホスト１００に接続している各クライアントＰＣは後述する条件の下で主従関係を持っており、マスターのみがホストの各種設定や、その他の後述する設定を動的に変更することが可能である。そして、その設定はスレーブとなっている各クライアントＰＣにおいて引き継がれる。このシステムにおいて使用される無線については映像を伝送可能な帯域を確保できるUWB等の高速無線が好適である。
【００１７】
次に図２を用いて本実施形態の動作を説明する。図２はクライアントＰＣからホストに映像を無線伝送する際のタイミングチャートである。このタイミングチャートは、複数のクライアントＰＣ１、２で１つのホストを共有するための方法も含んでいる。先ず、ホストは最初、クライアントからの要求待ち状態にいる（ステップS２０１）。この時、クライアントＰＣ１からの映像出力要求１がホストによって受信されると（ステップS２０２）、ホストはクライアントＰＣ１から映像データを受信できるように準備を行う（ステップS２０３）。具体的には、映像出力要求に含まれている後述する「出力要求解像度」の情報を基にクライアントＰＣとの間で帯域を確保し、映像データを伝送することを可能にするための通信路を提供する。また、その通信路における変調方式を選択することにより速さを決めたりもする。その後、映像を出力するための準備が完了すると、ホストは受入れ許可信号１をクライアントＰＣ１に対して送信し（ステップS２０４）、ホストは映像出力準備完了のステータスとなる（ステップS２０５）。もちろん、映像出力要求信号１がホストにとって受け入れることのできない要求であった場合には、受入れ不許可信号をクライアントＰＣに送信しなければならない。ここでは、ホストがクライアントＰＣ１に受入れ許可信号１を送信したと仮定して話を進める。ホストから映像出力要求信号１に対する受入れ許可信号１を受信したクライアントＰＣ１は、受入れ許可信号１に含まれる属性情報から自身がマスターであることを認識する（ステップS２０６）と共に、同じく受入れ許可信号１に含まれる後述する「出力可能解像度」を満たす映像データを送信開始する（ステップS２０７）。
【００１８】
ここで、ホストとクライアントＰＣ間で通信されるコマンドパケットフォーマットの一例を図３乃至図５に示す。図３には基本のパケットフォーマット及び、映像出力要求パケット、映像停止要求パケット、応答パケットの例を示している。パケットフォーマット自体は最初にオペコード、次にパケット全体の長さ、各オペコードに依存したパラメーター群が続くようになっている。上記で述べた映像出力要求は、図中の映像出力要求パケットより構成されており、パラメーターとして「出力要求解像度」、「割り込み許可フラグ」、「出力制御フラグ」を持つ。これらの各パラメーターの詳細については図４に示されており、それぞれ、”出力したい最大の解像度”、”別クライアントからの割り込みを許可するかどうか”、”別クライアントが割り込んだ時の出力方法”を示しており、数値の一例も同図に記載されている。同様に、上記で述べた受入れ許可、及び受入れ不許可については、図中の応答パケットより構成されており、パラメーターとして「受入れ許可フラグ」、「属性フラグ」、「出力可能解像度」を持つ。これらの各パラメーターの詳細について図５に示した。
【００１９】
図５に示すように、それぞれ”コマンド要求を受入れ可能かどうか”、”クライアントの属性”、”出力可能な最大の解像度”を示しており、数値の一例も同図に記載されている。例えば、上述の受入れ許可の通知は応答パケットの「受入れ許可フラグ」に‘１’が入っており、受入れ不許可の通知は‘０’が入っていることを意味している。図３には他にも映像停止要求パケットの例を示しているが、これは、ホストに対して映像出力を停止したい時に用いられるコマンドであり、パラメーターは持たない。
【００２０】
次に、再び図２を用いて、ホストがクライアントＰＣ１と映像データ通信時に別のクライアントＰＣ２からの映像出力要求２を受信した時の説明を行う。クライアントＰＣ１からの映像データを受信中に（ステップS２０７）、クライアントＰＣ２からの映像出力要求２を受信すると（ステップS２０８）、ホストは先ず、クライアントＰＣ１によって別のクライアントからの割り込みが許可されているかどうかを見る。クライアントＰＣ１が別のクライアントからの割り込みを許可しているかどうかは、クライアントＰＣ１が送信した映像出力要求１の中に含まれており、ホストは（クライアントＰＣ１に受入れ許可信号１を送信する場合には）このステータスを保存しておくべきである。
【００２１】
ここからは、２つのシナリオに分けられる。１つは、映像出力要求信号１において「割り込み許可フラグ」がセットされていない場合（シナリオ１）である。この場合はホストは別クライアントによる割り込みを禁止しているため、受入れ不許可信号２をクライアントＰＣ２に対して送信する（ステップS２０９）。一方、映像出力要求信号１において「割り込み許可フラグ」がセットされている場合（シナリオ２）は、上記で述べたのと同様にホストはクライアントＰＣ２から映像データを受信できるように準備を行う（ステップS２１０）。
【００２２】
クライアント２からの映像出力要求２に含まれている「出力要求解像度」の情報を基にそれを満たすだけの帯域をクライアントＰＣ１に対する帯域を確保したまま確保できるのであればそのように確保し、クライアントＰＣ１に対する帯域を確保したままクライアントＰＣ２に対する帯域を確保できなければ、クライアントＰＣ１に対する帯域を一時的に解放した後、クライアント２に対する帯域を確保する。
【００２３】
後者の場合、クライアント２からの映像出力停止要求が来た後、すぐにクライアント１に対しての帯域を再確保する必要がある。その後、映像を出力するための準備が完了すると、ホストは受入れ許可信号２をクライアントＰＣ２に対して送信し（ステップS２１１）、映像出力準備完了のステータスとなる（ステップS２１２）。ホストから映像出力要求信号２に対する受入れ許可２を受信したクライアントＰＣ２は、受入れ許可信号２に含まれる属性情報から自身がスレーブであることを認識する（ステップS２１３）と共に、同じく受入れ許可信号２に含まれる出力可能な最大解像度を満たす映像データを送信開始する（ステップS２１４）。
【００２４】
さらに図６には、図２におけるクライアントＰＣ２が割り込んできた時の、ホストにおけるクライアントから伝送された映像の表示方法を示す。図中の（a）は映像出力要求信号１において「出力制御フラグ」に”割り込んだクライアントの映像を全画面表示”を示す値がセットされている場合を示してたもので、図中の（b）は”割り込んだクライアント、割り込まれたクライアントの映像を２画面表示”を示す値がセットされている場合を示している。図６（b）については、２つのクライアントの両方に対して映像データを伝送することができる帯域を確保できる場合に限る。このように、クライアント１の映像を出力中に、クライアント２が割り込んできた場合に、ホストにおいて２つのクライアントからの映像データをどのように表示するかを選択することもできる。
【００２５】
以上が映像を出力、または投影できる１つの機器としてのプロジェクタを複数のクライアントPCから無線を用いて共有するための方法を提供したものである。具体的には、無線を介して、クライアントからホストへ映像出力/停止要求パケットを送信し、クライアントがホストから前記要求に対する応答パケットを受信することで、有線ケーブル付け替えの代役を行う。また、「割り込み許可フラグ」や「出力制御フラグ」を同時に設定することにより、あるクライアントが映像出力中に別のクライアントが割り込んで表示させることを許可したり、別のクライアントの割り込み時のホスト側でのクライアント映像の表示方法を全画面表示や２画面表示等から選択可能にした。さらに、マスターとなっているクライアントについては、プロジェクターの基本設定、及び 「割り込み許可フラグ」 や「出力制御フラグ」に依存する現在の設定についても動的に変えることができる。
【００２６】
これにより、ユーザーは無線によりシームレスに１つのホスト機器を使用することが可能になるだけでなく、有線を単純に無線に置き換えた以上の利便性を獲得することができる。
【図面の簡単な説明】
【００２７】
【図１】本発明の一実施形態を示す本発明の一実施形態を示す映像の無線伝送システムの構成図である。
【図２】同実施形態におけるクライアントＰＣからホストに映像を無線伝送する際のタイミングチャートである。
【図３】ホストとクライアントＰＣ間で通信されるコマンドパケットフォーマット例。
【図４】映像出力パケットのパラメータ内容詳細。
【図５】応答パケットのパラメータ内容詳細。
【図６】クライアントＰＣ２が割り込んできた時の、ホストにおけるクライアントから伝送された映像の表示方法を説明するための図である。
【符号の説明】
【００２８】
１００…ホスト（プロジェクタ）
【図１】
2008089886.tif 000003
【図２】
2008089886.tif 000004
【図３】
2008089886.tif 000005
【図４】
2008089886.tif 000006
【図５】
2008089886.tif 000007
【図６】
2008089886.tif 000008